(57)【特許請求の範囲】
【請求項１】
誘導加熱コイルと、
前記誘導加熱コイルが発生した磁界により誘導加熱される導電体と、
前記導電体及び発熱ヒータが設けられた便座と、
前記便座の異常温度を検知する第１の温度検知部及び第２の温度検知部と、
前記誘導加熱コイルへの通電を遮断可能な第１の通電制御部と、
前記誘導加熱コイルへの通電量を制御する誘導加熱制御部と、
前記第１の通電制御部を制御する制御部と、
を備え、
前記誘導加熱制御部は、前記第１の温度検知部にて前記異常温度を検知した際に前記第１の温度検知部から出力される信号よって、前記誘導加熱コイルへの通電を停止する制御を行い、
前記制御部は、前記第２の温度検知部にて前記異常温度を検知した際に前記第２の温度検知部から出力される信号によって、前記第１の通電制御部により前記誘導加熱コイルへの通電を強制的に遮断する制御、及び、前記発熱ヒータへの通電量の制御を行うことを特徴とする暖房便座装置。
【請求項２】
前記発熱ヒータへの通電を遮断可能な第２の通電制御部をさらに備え、
前記誘導加熱制御部は、前記第１の温度検知部にて前記異常温度を検知した際に前記第１の温度検知部から出力された信号によって、前記第２の通電制御部により前記発熱ヒータへの通電を強制的に遮断する制御を行うことを特徴とする請求項１記載の暖房便座装置。
【請求項３】
前記制御部は、前記誘導加熱制御部の異常を検知すると、前記第１の通電制御部により前記誘導加熱コイルへの通電を強制的に遮断する制御を行うことを特徴とする請求項１又は２に記載の暖房便座装置。
【請求項４】
前記誘導加熱制御部は、前記制御部の異常を検知すると、前記第２の通電制御部により前記発熱ヒータへの通電を強制的に遮断する制御を行うことを特徴とする請求項３記載の暖房便座装置。
【請求項５】
局部洗浄を行う洗浄水を加熱する熱交換器をさらに備え、
前記制御部は、前記熱交換器への通電量を制御することを特徴とする請求項１〜４のいずれか１つに記載の暖房便座装置。
【発明の詳細な説明】
【技術分野】
【０００１】
本発明の態様は、便器に設けられる便座を暖めることができる暖房便座装置に関する。
【背景技術】
【０００２】
一般的に、便座の座面は、ＰＰ（polypropylene：ポリプロピレン）等の樹脂で製造されているため、使用者は、冬場などの気温の低いときに冷えた便座に座ると冷たさを感じる場合がある。そこで、便座を暖めることができる暖房便座装置がある。このような暖房便座装置では、省エネルギー化を図るために種々の提案がなされている。
【０００３】
例えば、特許文献１では、誘導加熱を利用した暖房便座装置が開示されている。この暖房便座装置は、誘導加熱コイル及び電熱ヒータを備えており、これらを１つの制御部によって制御している。この暖房便座装置では、使用者の入室を検知すると誘導加熱を行って便座を急速加熱する。その後は、電熱ヒータによって便座の保温を行う。
【０００４】
しかしながら、特許文献１に記載された暖房便座装置では、誘導加熱コイルへの通電に異常が発生すると、便座が短時間で異常高温に達してしまうという問題がある。
【０００５】
便座の急激な温度上昇に対する安全装置を備えた暖房便座装置として、便座に温度ヒューズやサーモスタットを設ける技術が知られている（特許文献２）。特許文献２に記載された暖房便座装置では、温度ヒューズやサーモスタットがヒータの回路に直列に接続されている。そして、便座が異常高温に達すると温度ヒューズやサーモスタットが切れて、ヒータへの通電を遮断する。
【０００６】
しかしながら、特許文献２に記載された暖房便座装置では、温度ヒューズやサーモスタットが故障した場合や、ヒータ等の温度を制御する制御部が故障した場合には、便座が異常高温に達しても通電を遮断できなくなる恐れがある。
【先行技術文献】
【特許文献】
【０００７】
【特許文献１】特開２００８−０１８１１４号公報
【特許文献２】特開２００８−１１００８９号公報
【発明の概要】
【発明が解決しようとする課題】
【０００８】
本発明は、かかる課題の認識に基づいてなされたものであり、誘導加熱の原理を利用した暖房便座装置であって、便座の異常温度を検知した際に通電を強制的に遮断できる暖房便座装置を提供することを目的とする。
【課題を解決するための手段】
【０００９】
第１の発明は、誘導加熱コイルと、前記誘導加熱コイルが発生した磁界により誘導加熱される導電体と、前記導電体及び発熱ヒータが設けられた便座と、前記便座の異常温度を検知する第１の温度検知部及び第２の温度検知部と、前記誘導加熱コイルへの通電を遮断可能な第１の通電制御部と、前記誘導加熱コイルへの通電量を制御する誘導加熱制御部と、前記第１の通電制御部を制御する制御部と、を備え、前記誘導加熱制御部は、前記第１の温度検知部にて前記異常温度を検知した際に前記第１の温度検知部から出力される信号よって、前記誘導加熱コイルへの通電を停止する制御を行い、前記制御部は、前記第２の温度検知部にて前記異常温度を検知した際に前記第２の温度検知部から出力される信号によって、前記第１の通電制御部により前記誘導加熱コイルへの通電を強制的に遮断する制御、及び、前記発熱ヒータへの通電量の制御を行うことを特徴とする暖房便座装置である。
【００１０】
この暖房便座装置によれば、誘導加熱制御部が万が一故障しても、便座の異常温度を第２の温度検知部が検知して、制御部により誘導加熱コイルへの通電を遮断することができる。
また、便座の温度を監視する第１及び第２の温度検知部のうち一方が故障しても、他方の温度検知部で監視を続け、便座が異常温度に到達すると誘導加熱コイルへの通電を遮断する。
したがって、安全性の高い誘導加熱式の暖房便座装置を提供することができる。
さらに、便座に発熱ヒータを備えたので、誘導加熱により所定の温度に昇温した便座を発熱ヒータによって保温することができる。また、発熱ヒータを制御する制御部を利用するため、誘導加熱制御部が故障した際の通電の制御用に新たな制御部を設ける必要がない。これにより、暖房便座装置のコスト増を抑制することができる。
【００１３】
また、第２の発明は、第１の発明において、前記発熱ヒータへの通電を遮断可能な第２の通電制御部をさらに備え、前記誘導加熱制御部は、前記第１の温度検知部にて前記異常温度を検知した際に前記第１の温度検知部から出力された信号によって、前記第２の通電制御部により前記発熱ヒータへの通電を強制的に遮断する制御を行うことを特徴とする暖房便座装置である。
【００１４】
この暖房便座装置によれば、制御部が万が一故障しても、便座の異常温度を第１の温度検知部が検知して、誘導加熱制御部により発熱ヒータへの通電を遮断することができる。
また、便座の温度を監視する第１及び第２の温度検知部のうち一方が故障しても、他方の温度検知部で監視を続け、便座が異常温度に到達すると発熱ヒータへの通電を遮断する。
これにより、発熱ヒータの制御系が故障しても、誘導加熱の制御系で異常時の対応を実行することができる。
【００１５】
また、第３の発明は、第１又は第２の発明において、前記制御部は、前記誘導加熱制御部の異常を検知すると、前記第１の通電制御部により前記誘導加熱コイルへの通電を強制的に遮断する制御を行うことを特徴とする暖房便座装置である。
【００１６】
この暖房便座装置によれば、誘導加熱制御部に異常が発生した時点で制御部が第１の通電制御部を動作させて誘導加熱コイルへの通電を遮断する。
これにより、便座が適温以上に昇温することがなく、安全性の高い暖房便座装置を提供することができる。
【００１７】
また、第４の発明は、第３の発明において、前記誘導加熱制御部は、前記制御部の異常を検知すると、前記第２の通電制御部により前記発熱ヒータへの通電を強制的に遮断する制御を行うことを特徴とする暖房便座装置である。
【００１８】
この暖房便座装置によれば、制御部に異常が発生した時点で誘導加熱制御部が第２の通電制御部を動作させて発熱ヒータへの通電を遮断する。
一方、誘導加熱制御部に異常が発生した時点で制御部が第１の通電制御部を動作させて誘導加熱コイルへの通電を遮断する。
すなわち、誘導加熱制御部及び制御部が互いを監視しあう状態になり、いずれかの制御部が異常になった時点で通電制御部を動作させて誘導加熱コイル及び発熱ヒータへの通電を遮断する。
これにより、便座が適温以上に昇温することがなく、安全性の高い暖房便座装置を提供することができる。
【００１９】
また、第５の発明は、第１〜第４のいずれか１つの発明において、局部洗浄を行う洗浄水を加熱する熱交換器をさらに備え、前記制御部は、前記熱交換器への通電量を制御することを特徴とする暖房便座装置である。
【００２０】
この暖房便座装置によれば、衛生洗浄装置を制御する制御部を利用するため、誘導加熱制御部が故障した際の通電の制御用に新たな制御部を設ける必要がない。これにより、暖房便座装置のコスト増を抑制することができる。
【発明の効果】
【００２１】
本発明の態様によれば、誘導加熱の原理を利用した暖房便座装置であって、便座の異常温度を検知した際に通電を強制的に遮断できる暖房便座装置が提供される。
【図面の簡単な説明】
【００２２】
【図１】第１の実施形態に係る暖房便座装置を備えたトイレ装置を例示する斜視模式図である。
【図２】第１の実施形態にかかる暖房便座装置を例示する模式図である。
【図３】第１の実施形態に係る暖房便座装置の回路図である。
【図４】第１の実施形態に係る暖房便座装置の便座加熱の制御ブロック図である。
【図５】第２の実施形態に係る暖房便座装置を例示する模式図である。
【図６】第２の実施形態に係る暖房便座装置の回路図である。
【図７】第２の実施形態に係る暖房便座装置の便座加熱の制御ブロック図である。
【図８】第２の実施形態の他の例に係る暖房便座装置の回路図である。
【図９】第２の実施形態の他の例に係る暖房便座装置の便座加熱の制御ブロック図である。
【図１０】第３の実施形態に係る暖房便座装置を備えたトイレ装置を例示する斜視模式図である。
【図１１】第３の実施形態に係る暖房便座装置の回路図である。
【図１２】第３の実施形態の他の例に係る暖房便座装置の回路図である。
【発明を実施するための形態】
【００２３】
以下、本発明の実施の形態について図面を参照しつつ説明する。なお、各図面中、同様の構成要素には同一の符号を付して詳細な説明は適宜省略する。
【００２４】
（第１の実施形態）
先ず、第１の実施形態に係る暖房便座装置の例を説明する。
図１は、第１の実施形態に係る暖房便座装置を備えたトイレ装置を例示する斜視模式図である。
図１に表したトイレ装置は、洋式腰掛便器８００と、その上に設けられた暖房便座装置１１０と、を備える。暖房便座装置１１０は、ケーシング４００と、便座２００と、便蓋３００と、を有する。便座２００と便蓋３００とは、ケーシング４００に対して開閉自在にそれぞれ軸支されている。便蓋３００は、閉じた状態において便座２００の上方を覆うことができる。
【００２５】
便座２００の内部には、後に詳述するように、高周波電流が通電されることにより磁界を発生する誘導加熱コイルが設けられている。また、便座２００には、後に詳述するように、誘導加熱コイルから発生した磁界により誘導加熱される導電体が設けられている。より具体的には、導電体は、誘導加熱コイルから発生する磁界で誘起される渦電流により発熱する。
【００２６】
これにより、本実施形態にかかる暖房便座装置１１０は、誘導加熱の原理を利用し、便座２００を急速に加熱することができる。そのため、使用者が便座２００を使用していないときには、暖房便座装置１１０は、便座２００を保温しておく必要はない。そのため、例えば「シーズヒータ」や、「ハロゲンヒータ」や、「カーボンヒータ」などの抵抗加熱部により便座２００の着座面を加熱する場合よりも省エネルギー化を図ることができる。
【００２７】
ケーシング４００の内部には、衛生洗浄装置としての機能部が併設されていてもよい。すなわち、ケーシング４００には、便座２００に座った使用者の「おしり」などに向けて水を噴出する図示しない吐水ノズルを有する衛生洗浄機能部などが内蔵されていてもよい。なお、本願明細書において「水」という場合には、冷水のみならず、加熱されたお湯も含むものとする。
【００２８】
また、ケーシング４００の内部には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。ただし、本発明においては、衛生洗浄機能部やその他の付加機能部は必ずしも設けなくてもよい。
【００２９】
図２は、本実施形態にかかる暖房便座装置を例示する模式図である。
図２（ａ）は、本実施形態に係る暖房便座装置の模式的平面図、図２（ｂ）は、図２（ａ）のＡ−Ａ線矢視の模式的断面図である。
【００３０】
図２（ａ）に表したように、ケーシング４００の内部には、制御部４１０が設けられている。そして、商用電源から供給される電力（以下、説明の便宜上「商用電力」と称する）は、ケーシング４００の内部に設けられた制御部４１０に投入される。
【００３１】
図２（ｂ）に表したように、便座２００は、便座２００の外形を形成する筐体２１０を有する。筐体２１０は、例えば樹脂などの絶縁性を有する材料により形成されている。なお、筐体２１０は、複数の部材により形成されていてもよいし、１つの部材により形成されていてもよい。
【００３２】
便座２００の筐体２１０の内部には、制御部４１０から供給される電流を高周波電流に変換する誘導加熱制御部４２０と、高周波電流が通電されることにより磁界を発生する誘導加熱コイル２２２と、誘導加熱制御部４２０と誘導加熱コイル２２２とに接続された電力供給線２２１と、誘導加熱コイル２２２を支持する支持体２８０と、が設けられている。電力供給線２２１は、誘導加熱制御部４２０から供給される高周波電流を誘導加熱コイル２２２へ導く。電力供給線２２１は、例えば複数の絶縁素線を撚り合わせた構造を有するリッツ線である。
【００３３】
なお、図２（ｂ）に表した誘導加熱コイル２２２は、支持体２８０により支持されているが、これだけに限定されるわけではない。誘導加熱コイル２２２は、支持体２８０に支持されることなく、例えば便座２００の内部の上面（着座面に対向する内面）２１０ａに付設されていてもよい。
【００３４】
また、便座２００には、誘導加熱コイル２２２から発生した磁界により誘導加熱される導電体２３１が設けられている。より具体的には、導電体２３１は、誘導加熱コイル２２２から発生する磁界で誘起される渦電流により発熱する。導電体２３１は、便座２００の上面（着座面）に付設されている。
【００３５】
導電体２３１としては、例えば鉄やステンレスなどの強磁性体、またはアルミニウムなどの常磁性体といった金属を用いることができる。便座２００の外部に磁界を放出させにくくするためには、電気抵抗が大きい鉄やステンレスなどの強磁性体を導電体２３１に用いることがより好ましい。なお、導電体２３１が便座２００の上面に設けられる場合には、人体と導電体２３１とが直接的に接触しないように、塗装やコーティングなどが導電体２３１の表面に施されることがより好ましい。
【００３６】
制御部４１０と誘導加熱制御部４２０とは、給電線４１５により接続されている。商用電力などの低周波電流と、制御部４１０から供給される制御信号と、は給電線４１５を通して誘導加熱制御部４２０に供給される。そして、給電線４１５は、誘導加熱制御部４２０から出力される高周波電流よりも相対的に周波数が低い低周波電流を誘導加熱制御部４２０に供給する。低周波電流は、例えば、商用電源から供給される周波数の低い電流である。誘導加熱制御部４２０は、給電線４１５を通して供給される低周波電流を、その周波数よりも高い周波数の電流（以下、説明の便宜上「高周波電流」と称する）に変換する。
【００３７】
誘導加熱制御部４２０により変換された高周波電流は、電力供給線２２１を通して誘導加熱コイル２２２へ流れる。そうすると、誘導加熱コイル２２２は、磁界を発生する。誘導加熱コイル２２２が磁界を発生すると、導電体２３１は、その磁界で誘起される渦電流により発熱する。そのため、本実施形態にかかる暖房便座装置１１０は、誘導加熱の原理を利用し、便座２００の着座面を急速に加熱することができ、より早く着座面を適温にすることができる。また、本実施形態にかかる暖房便座装置１１０は、便座２００の着座面を急速に加熱することができるため、使用者が便座２００を使用していないときには便座２００を保温しておく必要はない。そのため、省エネルギー化を図ることができる。
【００３８】
図３は、第１の実施形態に係る暖房便座装置の回路図である。
例えば、ケーシング４００内には、制御部４１０と、第１の通電制御部である誘導加熱コイル通電スイッチＳＷ１と、負荷７００と、が含まれている。負荷７００は、例えば温水ヒータ及び室内暖房用ヒータの少なくとも１つである。温水ヒータは、局部洗浄を行う洗浄水を加熱する熱交換器に含まれる。制御部４１０は、これらの負荷７００に対する通電等の制御を行う。
【００３９】
制御部４１０は、誘導加熱コイル通電スイッチＳＷ１に制御信号ＣＴ２を送る。また、制御部４１０は、負荷７００に対する通電制御を行う。誘導加熱コイル通電スイッチＳＷ１は、制御部４１０から送られた制御信号ＣＴ２によって誘導加熱コイル２２２への通電のＯＮ／ＯＦＦを制御する。制御部４１０、誘導加熱コイル通電スイッチＳＷ１及び負荷７００には、商用電源１０が接続されている。
【００４０】
便座２００内には、誘導加熱制御部４２０と、高周波電源回路５００と、誘導加熱コイル２２２と、第１の温度検知部である第１サーミスタＴＨ１と、第２の温度検知部である第２サーミスタＴＨ２と、が含まれている。
【００４１】
高周波電源回路５００は、整流部５２０と、平滑部５３０と、共振用コンデンサ５４１と、制御スイッチ５５１とを備える。整流部５２０は、商用電源１０から供給される電流を整流する。整流部５２０は、正負が入れ替わる商用電源１０の電流や電圧を例えば正のみに整流し、共振しやすい状態とする。
【００４２】
平滑部５３０は、整流部５２０により整流された電流の中に含まれている脈流を平滑化する。平滑部５３０は、平滑コイル５３１と、平滑コンデンサ５３３と、を有し、誘導加熱コイル２２２において電力が不足した場合には、電力を供給することができる。
【００４３】
制御スイッチ５５１は、例えばノーマルオープンタイプの開閉スイッチである。制御スイッチ５５１には、例えば絶縁ゲートバイポーラトランジスタ（Insulated Gate Bipolar Transistor：ＩＧＢＴ）が用いられる。
【００４４】
誘導加熱制御部４２０は、制御スイッチ５５１に制御信号ＣＴ１を送り、制御スイッチ５５１のＯＮ／ＯＦＦを制御する。誘導加熱制御部４２０の動作は次のようになる。
先ず、誘導加熱制御部４２０が制御スイッチ５５１をＯＮ状態に制御すると、商用電源１０から供給された電流は、整流部５２０により整流され、平滑部５３０により平滑化され、誘導加熱コイル２２２に流れる。そして、誘導加熱コイル２２２にエネルギーが溜まる。続いて、誘導加熱制御部４２０が制御スイッチ５５１をＯＦＦ状態に制御すると、商用電源１０からは電流が供給されない一方で、誘導加熱コイル２２２に溜められたエネルギーが共振用コンデンサ５４１へ移動し共振する。
【００４５】
続いて、誘導加熱制御部４２０によって制御スイッチ５５１が再びＯＮ状態に制御されると、共振用コンデンサ５４１へ移動していたエネルギーが誘導加熱コイル２２２へ戻り共振する。
【００４６】
このように、誘導加熱制御部４２０が制御スイッチ５５１のＯＮ状態とＯＦＦ状態とを切り替え制御することにより、誘導加熱コイル２２２および共振用コンデンサ５４１において共振が発生し、高周波電流が生成される。この高周波電流は誘導加熱コイル２２２へ供給される。誘導加熱コイル２２２は、供給された高周波電流によって磁界を発生する。この磁界によって導電体２３１に渦電流が発生し、導電体２３１が発熱する。これにより、例えば使用者の入室を検知すると、誘導加熱制御部４２０によって誘導加熱コイル２２２への通電を制御して、便座２００を即座に加熱して、使用者が便座２００に座った際に冷たさを感じさせないような適温にすることができる。
【００４７】
便座２００が適温に到達した場合、もしくは、使用者が便座２００に着座したあとは、誘導加熱制御部４２０により制御スイッチ５５１をＯＦＦ状態にする。これにより、誘導加熱コイル２２２への高周波電流の供給が停止され、便座２００の加熱が停止される。
【００４８】
誘導加熱制御部４２０は、第１サーミスタＴＨ１で検知した便座２００の温度の情報に基づき、制御スイッチ５５１のＯＮ／ＯＦＦを制御する。これにより、誘導加熱制御部４２０は、便座２００の加熱時間や加熱特性を制御する。
【００４９】
第２サーミスタＴＨ２は、第１サーミスタＴＨ１と同様に便座２００の温度を検知する。第２サーミスタＴＨ２によって検出した温度の情報は、ケーシング４００内の制御部４１０に送られる。制御部４１０は、第２サーミスタＴＨ２から送られた温度の情報に基づき、誘導加熱コイル通電スイッチＳＷ１を制御する。
【００５０】
また、制御部４１０は、誘導加熱制御部４２０の状態を監視することもできる。制御部４１０は、誘導加熱制御部４２０の状態に何らかの異常が発生した場合には、誘導加熱コイル通電スイッチＳＷ１を制御して、高周波電源回路５００への通電を遮断する。
【００５１】
ここで、便座２００の温度制御及び異常温度に達した場合の制御について説明する。なお、本願明細書において異常温度とは、便座２００に座った際に熱いと感じる温度よりも低い温度であって、予め制御部４１０及び誘導加熱制御部４２０に設定された温度である。
【００５２】
図４は、第１の実施形態に係る暖房便座装置の便座加熱の制御ブロック図である。
誘導加熱制御部４２０は、第１サーミスタＴＨ１で検知した便座２００の温度の情報を得て、制御スイッチ５５１に制御信号ＣＴ１を送り、制御スイッチ５５１をＯＮ／ＯＦＦ制御する。制御スイッチ５５１が制御されると、高周波電源回路５００への通電が制御され、誘導加熱コイル２２２への通電が制御される。
【００５３】
ここで、第１サーミスタＴＨ１によって便座２００の異常温度を検知した場合、誘導加熱制御部４２０は、第１サーミスタＴＨ１による異常温度の検知の情報に基づき、制御スイッチ５５１をＯＦＦ状態に制御する。これにより、誘導加熱コイル２２２への高周波電流の供給が停止される。
【００５４】
一方、制御部４１０は、第２サーミスタＴＨ２で検知した便座２００の温度の情報を得る。第２サーミスタＴＨ２によって便座２００の異常温度を検知した場合、制御部４１０は、誘導加熱コイル通電スイッチＳＷ１に制御信号ＣＴ２を送り、誘導加熱コイル通電スイッチＳＷ１をＯＦＦ状態に制御する。これにより、高周波電源回路５００への通電が強制的に遮断され、誘導加熱コイル２２２への高周波電流の供給が停止される。
【００５５】
ここで、制御部４１０は、誘導加熱制御部４２０とは独立して、第２サーミスタＴＨ２による温度の検知の情報を取得している。したがって、誘導加熱制御部４２０や第１サーミスタＴＨ１に何らかの異常が発生して制御不能に陥った場合でも、便座２００の異常温度を第２サーミスタＴＨ２で検知し、制御部４１０によって誘導加熱コイル通電スイッチＳＷ１を制御して、高周波電源回路５００への通電を強制的に遮断することができるようになる。
【００５６】
また、制御部４１０は、誘導加熱制御部４２０の状態を監視することもできる。制御部４１０は、例えば、ウォッチドッグタイマによって誘導加熱制御部４２０の状態を監視することができる。
【００５７】
ウォッチドッグタイマでは、制御部４１０は、誘導加熱制御部４２０から送られるサービスパルスＳＰを検知している。制御部４１０は、一定期間内に誘導加熱制御部４２０からサービスパルスＳＰが送られてきたことを検知した場合には「異常なし」と判断する。
【００５８】
一方、制御部４１０は、一定期間内に誘導加熱制御部４２０からサービスパルスＳＰが送られなかった場合には「異常あり」と判断する。「異常あり」と判断した場合、制御部４１０は、誘導加熱コイル通電スイッチＳＷ１をＯＦＦ状態に制御する。これにより、高周波電源回路５００への通電が強制的に遮断され、誘導加熱コイル２２２への高周波電流の供給が停止される。
【００５９】
したがって、誘導加熱制御部４２０に何らかの異常が発生した場合には、制御部４１０によって誘導加熱コイル通電スイッチＳＷ１を制御するので、便座２００は適温以上に昇温することがなく、便座２００が異常温度に到達する前に高周波電源回路５００への通電を強制的に遮断することができるようになる。
【００６０】
このように、第１の実施形態に係る暖房便座装置１１０によれば、誘導加熱制御部４２０や第１サーミスタＴＨ１が万が一故障しても、便座２００の異常温度を第２サーミスタＴＨ２で検知して、制御部４１０によって高周波電源回路５００への通電を強制的に遮断することができる。したがって、より安全性の高い誘導加熱式の暖房便座装置を提供することができるようになる。なお、既存の制御部４１０を用いて制御するため、誘導加熱制御部４２０等の故障用に別途の制御部を設ける必要はない。このため、上記の機能を備えた暖房便座装置１１０であっても生産コストの上昇を抑制することができる。
【００６１】
（第２の実施形態）
次に、第２の実施形態に係る暖房便座装置の例を説明する。
図５は、第２の実施形態に係る暖房便座装置を例示する模式図である。
図５（ａ）は、本実施形態に係る暖房便座装置の模式的平面図、図５（ｂ）は、図５（ａ）のＢ−Ｂ線矢視の模式的断面図である。
【００６２】
図５（ａ）及び（ｂ）に表したように、本実施形態に係る暖房便座装置１２０は、便座２００の筐体２１０内に、ヒータ３３３が設けられている。ヒータ３３３には、例えばチュービングヒータ、シーズヒータ、ハロゲンヒータ及びカーボンヒータのいずれかが用いられる。本実施形態では、ヒータ３３３としてチュービングヒータを用いた例を説明する。
【００６３】
ヒータ３３３は、例えば便座２００の内部の上面（着座面に対向する内面）２１０ａに付設されている。ヒータ３３３は、制御部４１０に接続されており、制御部４１０によってＯＮ／ＯＦＦ制御が成される。ヒータ３３３は、便座２００の筐体２１０内に引き回されている。
【００６４】
図６は、第２の実施形態に係る暖房便座装置の回路図である。
例えば、ケーシング４００内には、ヒータ制御回路６００が設けられている。ヒータ制御回路６００には、ヒータ制御スイッチ６０１が含まれる。また、便座２００内には、ヒータ３３３が設けられている。便座２００の第２サーミスタＴＨ２は、主としてヒータ３３３によって加熱される便座２００の温度を検知する。なお、第２サーミスタＴＨ２は、ヒータ３３３が動作していない期間でも便座２００の温度を検知している。
【００６５】
制御部４１０は、ヒータ制御スイッチ６０１に制御信号ＣＴ３を送り、ヒータ制御スイッチ６０１のＯＮ／ＯＦＦ制御を行う。制御部４１０は、ヒータ制御スイッチ６０１の制御のほか、負荷７００の制御も行う。
【００６６】
図７は、第２の実施形態に係る暖房便座装置の便座加熱の制御ブロック図である。
誘導加熱制御部４２０は、第１サーミスタＴＨ１で検知した便座２００の温度の情報を得て、制御スイッチ５５１に制御信号ＣＴ１を送り、制御スイッチ５５１をＯＮ／ＯＦＦ制御する。制御スイッチ５５１が制御されると、高周波電源回路５００への通電が制御され、誘導加熱コイル２２２への通電が制御される。
【００６７】
制御部４１０は、第２サーミスタＴＨ２で検知した便座２００の温度の情報を得て、ヒータ制御スイッチ６０１に制御信号ＣＴ３を送り、ヒータ制御スイッチ４４１をＯＮ／ＯＦＦ制御する。ヒータ制御スイッチ４４１が制御されると、ヒータ３３３への通電が制御される。
【００６８】
誘導加熱コイル２２２とヒータ３３３とを備える暖房便座装置１２０では、例えば使用者の入室を検知すると、誘導加熱制御部４２０によって誘導加熱コイル２２２への通電を制御して、誘導加熱によって便座２００を急速加熱する。
その後、例えば使用者が便座２００に座る直前に、誘導加熱制御部４２０によって誘導加熱コイル２２２への通電を停止する。そして、制御部４１０の制御に切り替えて、ヒータ３３３へ通電を開始し、便座２００の保温を行う。
【００６９】
ここで、第１サーミスタＴＨ１によって便座２００の異常温度を検知した場合、誘導加熱制御部４２０は、第１サーミスタＴＨ１による異常温度の検知の情報に基づき、制御スイッチ５５１に制御信号ＣＴ１を送る。これにより、制御スイッチ５５１はＯＦＦ状態になる。よって、誘導加熱コイル２２２への高周波電流の供給が停止される。
【００７０】
一方、制御部４１０は、第２サーミスタＴＨ２で検知した便座２００の温度の情報を得る。第２サーミスタＴＨ２によって便座２００の異常温度を検知した場合、制御部４１０は、誘導加熱コイル通電スイッチＳＷ１に制御信号ＣＴ２を送り、誘導加熱コイル通電スイッチＳＷ１をＯＦＦ状態に制御する。これにより、高周波電源回路５００への通電が強制的に遮断され、誘導加熱コイル２２２への高周波電流の供給が停止される。
【００７１】
ここで、制御部４１０は、誘導加熱制御部４２０による制御及びヒータ３３３への通電の有無とは独立して、第２サーミスタＴＨ２による温度の検知の情報を取得している。したがって、誘導加熱制御部４２０や第１サーミスタＴＨ１に何らかの異常が発生して制御不能に陥った場合でも、便座２００の異常温度を第２サーミスタＴＨ２で検知し、制御部４１０によって誘導加熱コイル通電スイッチＳＷ１を制御して、高周波電源回路５００への通電を強制的に遮断することができるようになる。
【００７２】
また、制御部４１０は、誘導加熱制御部４２０の状態を監視することもできる。制御部４１０は、例えば、ウォッチドッグタイマによって誘導加熱制御部４２０の状態を監視することができる。そして、一定期間内に誘導加熱制御部４２０からサービスパルスＳＰが送られなかった場合、誘導加熱制御部４２０に「異常あり」と判断する。「異常あり」と判断した場合、制御部４１０は、誘導加熱コイル通電スイッチＳＷ１をＯＦＦ状態に制御する。これにより、高周波電源回路５００への通電が強制的に遮断され、誘導加熱コイル２２２への高周波電流の供給が停止される。
【００７３】
したがって、誘導加熱制御部４２０に何らかの異常が発生した場合には、制御部４１０によって誘導加熱コイル通電スイッチＳＷ１を制御するので、便座２００は適温以上に昇温することがなく、便座２００が異常温度に到達する前に高周波電源回路５００への通電を強制的に遮断することができるようになる。
【００７４】
このように、第２の実施形態に係る暖房便座装置１２０によれば、誘導加熱制御部４２０や第１サーミスタＴＨ１が万が一故障しても、便座２００の異常温度を第２サーミスタＴＨ２で検知して、制御部４１０によって高周波電源回路５００への通電を強制的に遮断することができる。したがって、より安全性の高い誘導加熱式の暖房便座装置を提供することができるようになる。なお、既存の制御部４１０を用いて制御するため、誘導加熱制御部４２０等の故障用に別途の制御部を設ける必要はない。このため、上記の機能を備えた暖房便座装置１２０であっても生産コストの上昇を抑制することができる。
【００７５】
（第２の実施形態の他の例）
次に、第２の実施形態に係る暖房便座装置の他の例を説明する。
図８は、第２の実施形態の他の例に係る暖房便座装置の回路図である。
図８に表したように、第２の実施形態の他の例に係る暖房便座装置１２１では、例えば、ケーシング４００内に、第２の通電制御部であるヒータ通電スイッチＳＷ２が含まれている。
【００７６】
ヒータ通電スイッチＳＷ２は、商用電源１０と、ヒータ制御スイッチ６０１と、の間に設けられている。ヒータ通電スイッチＳＷ２は、便座２００に設けられた誘導加熱制御部４２０から出力される制御信号ＣＴ４によってＯＮ／ＯＦＦ制御される。
【００７７】
図９は、第２の実施形態の他の例に係る暖房便座装置の便座加熱の制御ブロック図である。
誘導加熱制御部４２０は、第１サーミスタＴＨ１で検知した便座２００の温度の情報を得て、制御スイッチ５５１に制御信号ＣＴ１を送り、制御スイッチ５５１をＯＮ／ＯＦＦ制御する。
例えば、使用者の入室を検知すると、誘導加熱制御部４２０によって誘導加熱コイル２２２への通電を制御して、誘導加熱によって便座２００を急速加熱する。
【００７８】
制御部４１０は、第２サーミスタＴＨ２で検知した便座２００の温度の情報を得て、ヒータ制御スイッチ６０１に制御信号ＣＴ３を送り、ヒータ制御スイッチ４４１をＯＮ／ＯＦＦ制御する。ヒータ制御スイッチ４４１が制御されると、ヒータ３３３への通電が制御される。
例えば、使用者が便座２００に座る直前に、誘導加熱制御部４２０によって誘導加熱コイル２２２への通電を停止する。そして、制御部４１０の制御に切り替えて、ヒータ３３３へ通電を開始し、便座２００の保温を行う。
【００７９】
第２の実施形態の他の例に係る暖房便座装置１２１では、便座２００が異常温度に達した際、制御部４１０及び誘導加熱制御部４２０が互いに相手方を補間する制御を行う。
すなわち、第１サーミスタＴＨ１によって便座２００の異常温度を検知した場合、誘導加熱制御部４２０は、第１サーミスタＴＨ１による異常温度の検知の情報に基づき、制御スイッチ５５１に制御信号ＣＴ１を送り、制御スイッチ５５１をＯＦＦ状態に制御する。これにより、誘導加熱コイル２２２への高周波電流の供給が停止される。
【００８０】
さらに、誘導加熱制御部４２０は、第１サーミスタＴＨ１による異常温度の検知の情報に基づき、ヒータ通電スイッチＳＷ２に制御信号ＣＴ４を送り、ヒータ通電スイッチＳＷ２をＯＦＦ状態にして、ヒータ３３３への通電を強制的に遮断する制御を行う。
【００８１】
一方、第２サーミスタＴＨ２によって便座２００の異常温度を検知した場合、制御部４１０は、第２サーミスタＴＨ２による異常温度の検知の情報に基づき、ヒータ制御スイッチ６０１に制御信号ＣＴ３を送り、ヒータ制御スイッチ６０１をＯＦＦ状態に制御する。これにより、ヒータ３３３への通電が停止される。
【００８２】
さらに、制御部４１０は、第２サーミスタＴＨ２による異常温度の検知の情報に基づき、誘導加熱コイル通電スイッチＳＷ１に制御信号ＣＴ２を送り、誘導加熱コイル通電スイッチＳＷ１をＯＦＦ状態に制御する。これにより、高周波電源回路５００への通電が強制的に遮断され、誘導加熱コイル２２２への高周波電流の供給が停止される。
【００８３】
このような制御によって、誘導加熱制御部４２０や第１サーミスタＴＨ１に何らかの異常が発生して制御不能に陥った場合でも、便座２００の異常温度を第２サーミスタＴＨ２で検知し、制御部４１０によって誘導加熱コイル通電スイッチＳＷ１を制御して、高周波電源回路５００への通電を強制的に遮断することができるようになる。
一方、制御部４１０や第２サーミスタＴＨ２に何らかの異常が発生して制御不能に陥った場合でも、便座２００の異常温度を第１サーミスタＴＨ１で検知し、誘導加熱制御部４２０によってヒータ通電スイッチＳＷ２を制御して、ヒータ３３３への通電を強制的に遮断することができるようになる。
【００８４】
また、制御部４１０は、誘導加熱制御部４２０の状態を監視することもできる。制御部４１０は、例えば、ウォッチドッグタイマによって誘導加熱制御部４２０の状態を監視することができる。
一方、誘導加熱制御部４２０は、制御部４１０の状態を監視している。誘導加熱制御部４２０は、例えば、ウォッチドッグタイマによって制御部４１０の状態を監視している。
【００８５】
これにより、制御部４１０及び誘導加熱制御部４２０のいずれか一方に異常が発生した場合、相手方の異常を検知した制御部４１０または誘導加熱制御部４２０は、便座２００は適温以上に昇温することがなく、便座２００が異常温度に到達する前に誘導加熱コイル２２２への通電及びヒータ３３３への通電を強制的に停止することができる。
【００８６】
なお、便座２００の異常温度を検出した場合、または制御部４１０及び誘導加熱制御部４２０のいずれか一方に異常が発生した場合の制御では、少なくとも誘導加熱コイル２２２への通電を強制的に停止する制御が好ましい。
すなわち、ヒータ３３３には、通常、温度ヒューズやサーモスタットが接続されている。したがって、異常温度に達する前に温度ヒューズやサーモスタットが機能して、ヒータ３３３への通電を遮断できる可能性が高い。
一方、誘導加熱コイル２２２による誘導加熱では、温度ヒューズやサーモスタットが機能する前に便座２００の温度が異常温度を超えてしまう可能性がある。したがって、異常温度を検知した場合には、即座に誘導加熱コイル２２２への通電を停止することが望ましい。
【００８７】
このように、第２の実施形態の他の例に係る暖房便座装置１２１によれば、誘導加熱制御部４２０、第１サーミスタＴＨ１、制御部４１０及び第２サーミスタＴＨ２が万が一故障しても、高周波電源回路５００への通電を強制的に遮断することができる。したがって、より安全性の高い誘導加熱式の暖房便座装置を提供することができるようになる。なお、制御部４１０及び誘導加熱制御部４２０が互いに相手方の補間を行うため、故障用に別途の制御部を設ける必要はない。このため、上記の機能を備えた暖房便座装置１２１であっても生産コストの上昇を抑制することができる。
【００８８】
（第３の実施形態）
次に、第３の実施形態に係る暖房便座装置の例を説明する。
図１０は、第３の実施形態に係る暖房便座装置を備えたトイレ装置を例示する斜視模式図である。
図１０に表したトイレ装置は、洋式腰掛便器８００と、その上に設けられた暖房便座装置１３０と、を備える。暖房便座装置１３０は、ケーシング４００と、便座２００と、便蓋３００と、を有する。
本実施形態に係る暖房便座装置１３０では、便座２００内にヒータ３３３が設けられている。
また、便蓋３００には誘導加熱コイル２２２が設けられている。誘導加熱コイル２２２によって誘導加熱される導電体２３１は、便座２００に設けられている。
【００８９】
すなわち、暖房便座装置１３０では、便蓋３００を閉じることで便蓋３００に設けられた誘導加熱コイル２２２と、便座２００に設けられた導電体２３１と、が対向する状態になる。したがって、便蓋３００を閉じた状態で、誘導加熱コイル２２２に通電すると、導電体２３１が誘導加熱され、便座２００の急速加熱が行われる。
【００９０】
一方、便蓋３００が開けられると、便蓋３００の誘導加熱コイル２２２と、便座２００の導電体２３１と、の間がひらき、誘導加熱コイル２２２による導電体２３１の誘導加熱が行われなくなる。なお、便蓋３００が開かれた際には、誘導加熱コイル２２２への通電を停止することが望ましい。
【００９１】
図１１は、第３の実施形態に係る暖房便座装置の回路図である。
例えば、ケーシング４００内には、制御部４１０と、第１の通電制御部である誘導加熱コイル通電スイッチＳＷ１と、ヒータ制御回路６００と、温水ヒータや室内暖房用ヒータ等の負荷７００と、が設けられている。ヒータ制御回路６００には、ヒータ制御スイッチ６０１が含まれる。
【００９２】
便座２００内には、ヒータ３３３と、第１の温度検知部である第１サーミスタＴＨ１と、第２の温度検知部である第２サーミスタＴＨ２と、が設けられている。
【００９３】
便蓋３００内には、誘導加熱制御部４２０と、高周波電源回路５００と、誘導加熱コイル２２２と、が設けられている。高周波電源回路５００は、整流部５２０と、平滑部５３０と、共振用コンデンサ５４１と、制御スイッチ５５１とを備える。
便座２００に設けられた第１サーミスタＴＨ１の出力線は、便蓋３００に設けられた誘導加熱制御部４２０まで引き回されている。
【００９４】
第３の実施形態に係る暖房便座装置１３０の便座加熱の制御ブロック図は、図７に表した第２の実施形態に係る暖房便座装置１２０の便座加熱の制御ブロック図と同じである。
すなわち、誘導加熱制御部４２０は、第１サーミスタＴＨ１で検知した便座２００の温度の情報を得て、制御スイッチ５５１に制御信号ＣＴ１を送り、制御スイッチ５５１をＯＮ／ＯＦＦ制御する。制御スイッチ５５１が制御されると、高周波電源回路５００への通電が制御され、誘導加熱コイル２２２への通電が制御される。
【００９５】
制御部４１０は、第２サーミスタＴＨ２で検知した便座２００の温度の情報を得て、ヒータ制御スイッチ６０１に制御信号ＣＴ３を送り、ヒータ制御スイッチ４４１をＯＮ／ＯＦＦ制御する。ヒータ制御スイッチ４４１が制御されると、ヒータ３３３への通電が制御される。
【００９６】
そして、第１サーミスタＴＨ１によって便座２００の異常温度を検知した場合、誘導加熱制御部４２０は、制御スイッチ５５１に制御信号ＣＴ１を送り、制御スイッチ５５１をＯＦＦ状態に制御する。これにより、誘導加熱コイル２２２への高周波電流の供給が停止される。
【００９７】
一方、第２サーミスタＴＨ２によって便座２００の異常温度を検知した場合、制御部４１０は、誘導加熱コイル通電スイッチＳＷ１に制御信号ＣＴ２を送り、誘導加熱コイル通電スイッチＳＷ１をＯＦＦ状態に制御する。これにより、高周波電源回路５００への通電が強制的に遮断され、誘導加熱コイル２２２への高周波電流の供給が停止される。
【００９８】
また、制御部４１０は、誘導加熱制御部４２０の状態を監視することもできる。制御部４１０は、例えば、ウォッチドッグタイマによって誘導加熱制御部４２０の状態を監視することができる。そして、誘導加熱制御部４２０の状態を「異常あり」と判断した場合、制御部４１０は、誘導加熱コイル通電スイッチＳＷ１をＯＦＦ状態に制御する。これにより、高周波電源回路５００への通電が強制的に遮断され、便座２００は適温以上に昇温することがなく、便座２００が異常温度に到達する前に誘導加熱コイル２２２への高周波電流の供給が停止される。
【００９９】
このように、第３の実施形態に係る暖房便座装置１３０によれば、誘導加熱制御部４２０や第１サーミスタＴＨ１が万が一故障しても、便座２００の異常温度を第２サーミスタＴＨ２で検知して、制御部４１０によって高周波電源回路５００への通電を強制的に遮断することができる。したがって、より安全性の高い誘導加熱式の暖房便座装置を提供することができるようになる。なお、既存の制御部４１０を用いて制御するため、誘導加熱制御部４２０等の故障用に別途の制御部を設ける必要はない。このため、上記の機能を備えた暖房便座装置１３０であっても生産コストの上昇を抑制することができる。
【０１００】
（第３の実施形態の他の例）
次に、第３の実施形態に係る暖房便座装置の他の例を説明する。
図１２は、第３の実施形態の他の例に係る暖房便座装置の回路図である。
図１２に表したように、第３の実施形態の他の例に係る暖房便座装置１３１では、例えば、ケーシング４００内に、第２の通電制御部であるヒータ通電スイッチＳＷ２が含まれている。
【０１０１】
ヒータ通電スイッチＳＷ２は、商用電源１０と、ヒータ制御スイッチ６０１と、の間に設けられている。ヒータ通電スイッチＳＷ２は、便座２００に設けられた誘導加熱制御部４２０から出力される制御信号ＣＴ４によってＯＮ／ＯＦＦ制御される。
【０１０２】
第３の実施形態の他の例に係る暖房便座装置１３１の便座加熱の制御ブロック図は、図９に表した第２の実施形態の他の例に係る暖房便座装置１２１の便座加熱の制御ブロック図と同じである。
すなわち、誘導加熱制御部４２０は、第１サーミスタＴＨ１で検知した便座２００の温度の情報を得て、制御スイッチ５５１に制御信号ＣＴ１を送り、制御スイッチ５５１をＯＮ／ＯＦＦ制御する。
例えば、使用者の入室を検知すると、誘導加熱制御部４２０によって誘導加熱コイル２２２への通電を制御して、誘導加熱によって便座２００を急速加熱する。
【０１０３】
制御部４１０は、第２サーミスタＴＨ２で検知した便座２００の温度の情報を得て、ヒータ制御スイッチ６０１に制御信号ＣＴ３を送り、ヒータ制御スイッチ４４１をＯＮ／ＯＦＦ制御する。ヒータ制御スイッチ４４１が制御されると、ヒータ３３３への通電が制御される。
例えば、使用者が便座２００に座る直前に、誘導加熱制御部４２０によって誘導加熱コイル２２２への通電を停止する。そして、制御部４１０の制御に切り替えて、ヒータ３３３へ通電を開始し、便座２００の保温を行う。
【０１０４】
そして、暖房便座装置１３１では、暖房便座装置１２１と同様、便座２００が異常温度に達した際、制御部４１０及び誘導加熱制御部４２０が互いに相手方を補間する制御を行う。
【０１０５】
これにより、誘導加熱制御部４２０や第１サーミスタＴＨ１に何らかの異常が発生して制御不能に陥った場合でも、便座２００の異常温度を第２サーミスタＴＨ２で検知し、制御部４１０によって誘導加熱コイル通電スイッチＳＷ１を制御して、高周波電源回路５００への通電を強制的に遮断することができるようになる。
一方、制御部４１０や第２サーミスタＴＨ２に何らかの異常が発生して制御不能に陥った場合でも、便座２００の異常温度を第１サーミスタＴＨ１で検知し、誘導加熱制御部４２０によってヒータ通電スイッチＳＷ２を制御して、ヒータ３３３への通電を強制的に遮断することができるようになる。
【０１０６】
また、暖房便座装置１３１では、暖房便座装置１２１と同様、制御部４１０及び誘導加熱制御部４２０が、互いに相手方の状態を監視することもできる。これにより、制御部４１０及び誘導加熱制御部４２０のいずれか一方に異常が発生した場合、相手方の異常を検知した制御部４１０または誘導加熱制御部４２０は、誘導加熱コイル２２２への通電及びヒータ３３３への通電のうち、少なくとも誘導加熱コイル２２２への通電を強制的に停止することができる。
【０１０７】
このように、第３の実施形態の他の例に係る暖房便座装置１３１によれば、誘導加熱制御部４２０、第１サーミスタＴＨ１、制御部４１０及び第２サーミスタＴＨ２が万が一故障しても、高周波電源回路５００への通電を強制的に遮断することができる。したがって、より安全性の高い誘導加熱式の暖房便座装置１３１を提供することができるようになる。なお、制御部４１０及び誘導加熱制御部４２０が互いに相手方の補間を行うため、故障用に別途の制御部を設ける必要はない。このため、上記の機能を備えた暖房便座装置１３１であっても生産コストの上昇を抑制することができる。
【０１０８】
以上説明したように、本実施形態によれば、誘導加熱の原理を利用した暖房便座装置１１０、１２０、１２１、１３０及び１３１であって、便座２００の異常温度を検知した際に通電を強制的に遮断できるため、より安全な暖房便座装置１１０、１２０、１２１、１３０及び１３１を提供することができるようになる。また、このような優れた機能を、既存の制御部４１０及び誘導加熱制御部４２０等によって実現でき、コスト上昇を抑制することが可能となる。
【０１０９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
また、前述した各実施形態が備える各要素は、技術的に可能な限りにおいて組み合わせることができ、これらを組み合わせたものも本発明の特徴を含む限り本発明の範囲に包含される。
【符号の説明】
【０１１０】
１０ 商用電源、  １１０、１２０、１２１、１３０、１３１ 暖房便座装置、  ２００ 便座、  ２１０ 筐体、  ２１０ａ 内部の上面、  ２２２ 誘導加熱コイル、  ２３１ 導電体、  ３００ 便蓋、  ３３３ ヒータ、  ４００ ケーシング、  ４１０ 制御部、  ４１５ 給電線、  ４２０ 誘導加熱制御部、  ５００ 高周波電源回路、５３０ 平滑部、  ５３１ 平滑コイル、  ５３３ 平滑コンデンサ、  ５４１ 共振用コンデンサ、  ５５１ 制御スイッチ、  ６００ ヒータ制御回路、  ６０１ ヒータ制御スイッチ、  ７００ 負荷、  ８００ 洋式腰掛便器、  ＴＨ１ 第１サーミスタ、  ＴＨ２ 第２サーミスタ、  ＳＷ１ 誘導加熱コイル通電スイッチ、  ＳＷ２ ヒータ通電スイッチ
【図１】
0005641311.tif 000002
【図２】
0005641311.tif 000003
【図３】
0005641311.tif 000004
【図４】
0005641311.tif 000005
【図５】
0005641311.tif 000006
【図６】
0005641311.tif 000007
【図７】
0005641311.tif 000008
【図８】
0005641311.tif 000009
【図９】
0005641311.tif 000010
【図１０】
0005641311.tif 000011
【図１１】
0005641311.tif 000012
【図１２】
0005641311.tif 000013